(57)【要約】【課題】  施工性に優れ、コストを抑えた床を提供する。【解決手段】  連結根太を備え、連結根太は、上連結根太と下連結根太からなり、下連結根太は、前桁、根太掛け、大引きの少なくともいずれかに連結する連結部を有し、上連結根太は、下連結根太へ固定されるものであって、左右両側に床材支持部を有する。【選択図】      図１
2019157358.tif 000002
【特許請求の範囲】
【請求項１】
連結根太を備え、連結根太は、上連結根太と下連結根太からなり、下連結根太は、前桁、根太掛け、大引きの少なくともいずれかに連結する連結部を有し、上連結根太は、下連結根太へ固定されるものであって、左右両側に床材支持部を有することを特徴とする床。
【発明の詳細な説明】
【技術分野】
【０００１】
本発明は、床に関する。
【背景技術】
【０００２】
従来の床は、図７に示すように、連結根太と前桁及び根太掛けを連結するために連結根太取付金具を用いており、施工に手間が掛かっていた。
【先行技術文献】
【非特許文献】
【０００３】
【非特許文献１】「晴れもよう３  デッキ材仕様  施工要領書（ＨＺ０２０３Ｒ）」三協立山株式会社、２０１６年１２月、ｐ．６２
【発明の概要】
【発明が解決しようとする課題】
【０００４】
本発明は上記事情を鑑み、施工性に優れ、コストを抑えた床を提供することを目的とする。
【課題を解決するための手段】
【０００５】
本発明の床は、連結根太を備え、連結根太は、上連結根太と下連結根太からなり、下連結根太は、前桁、根太掛け、大引きの少なくともいずれかに連結する連結部を有し、上連結根太は、下連結根太へ固定されるものであって、左右両側に床材支持部を有することを特徴とする。
【発明の効果】
【０００６】
本発明によれば、連結根太は、上連結根太と下連結根太からなり、上連結根太は左右両側に床材支持部を有するため、下連結根太を前桁や根太掛けへ連結する際に、床材支持部が邪魔にならず施工性に優れる。また、連結根太を取り付けるために他の部品を用いる必要がないため、従来よりもコストを抑えることができる。
【図面の簡単な説明】
【０００７】
【図１】連結根太の正面図を示し、（ａ）は施工前の状態、（ｂ）は施工後の状態である。
【図２】本発明の床を備える簡易構造物を示し、（ａ）は正面図、（ｂ）は側面図である。
【図３】（ａ）（ｂ）は床の骨組み部分を示す平面図である。
【図４】床の一部を拡大した平面図である。
【図５】図４のＡ−Ａ線断面図である。
【図６】図４のＢ−Ｂ線断面図である。
【図７】従来の連結根太の正面図を示し、（ａ）は施工前の状態、（ｂ）は施工後の状態である。
【発明を実施するための形態】
【０００８】
以下、本発明の実施の形態を図面に基づいて説明する。ここでは、図２のように、建物の外壁Ｘに隣接して設置されるデッキやテラス等の簡易構造物Ｙに床１を適用した場合を示し、建物側を後側、床１が突出する側を前側とする。また、簡易構造物Ｙを前側から見て左右方向を定める。
【０００９】
簡易構造物Ｙは、外壁Ｘから間隔をあけて前側には左右及び中央に柱２ａ，２ａ，２ａを有し、外壁Ｘに当接する後側には左右に躯体方立２ｂ，２ｂを有し、中央の柱２ａへ連結根太７を架設することによって、連結根太７の左右両側に床材８を連設し、柱２ａと躯体方立２ｂの間に床１を設置したものである。詳しくは、床１は、図３（ａ）に示すように、隣り合う柱２ａ，２ａ間に左右方向に設けられた前桁３と、外壁Ｘに取り付けられて躯体方立２ｂ，２ｂ間に左右方向に設けられた根太掛け４と、柱２ａと躯体方立２ｂの間に前後方向に設けられた妻桁５，５を備える。前桁３は柱２ａ，２ａ間の中間部において束柱２ｃに支持されている。なお図４〜図６は、図３（ｂ）に示すように、前桁３と根太掛け４の中間部に大引き９を備える場合を示し、大引き９は複数の束柱２ｃ，２ｃ…によって支持されている。前桁３と根太掛け４間には、複数の根太６，６…が架設してあり、左右方向の中間部において、前桁３と根太掛け４間に連結根太７が架設してある。そして、妻桁５と連結根太７の間の根太６上には、図４〜図６に示すように、連結根太７の左右両側において、床材８，８…が長手方向を左右方向として、前後に複数敷設してある。
【００１０】
前桁３は、図６に示すように、床１の前側に取り付けられる断面略矩形の中空形材であり、左右方向に延びている。前桁３の後側面には長手方向に沿って支持部３ａが設けてあり、支持部３ａの上方には床材カバー取付部３ｂが設けてある。支持部３ａ及び床材カバー取付部３ｂは後側に向かって延出しており、支持部３ａは根太６及び連結根太７を支持する。
【００１１】
根太掛け４は、前桁３と平行に延び、床１の後側において外壁Ｘに取り付けられる断面コ字形状の桁材であり、前側に開口を向けている。根太掛け４の前側面下端には、前側に延出する支持部４ａが長手方向に沿って設けてある。支持部４ａは根太６及び連結根太７を支持する。
【００１２】
大引き９は、床１の前後方向の幅に応じて設けられる断面略矩形の中空形材であり、前桁３と根太掛け４の中間部において、左右方向に延びている。大引き９は束柱２ｃによって支持されており、大引き９の上面が根太６及び連結根太７を支持する。
【００１３】
根太６は、前後方向に延びる断面略矩形の中空形材であり、左右の間隔をあけて複数の根太６，６…が前桁３と根太掛け４間に架設される。根太６の下面は左右一方側に延出させて連結部６ａを形成してある。連結部６ａは長手方向に沿って設けてあり、前桁３、根太掛け４、大引き９に、上下方向にネジ止めしてある。また、根太６の上面には、根太６と直交するように床材８が長手方向を左右方向として前後に複数敷設され、それぞれ上からネジ止めしてある。
【００１４】
連結根太７は、前後方向に延びており、左右方向の中間部において前桁３と根太掛け４間に架設される。連結根太７は、上連結根太１０と下連結根太２０から構成されている。
下連結根太２０は、断面略矩形の中空形材であり、前桁３、根太掛け４、大引き９に固定してある。下連結根太２０は、下面を左右両側にそれぞれ延出させて連結部２１，２１を設けてある。連結部２１，２１は長手方向に沿って設けてあり、前桁３、根太掛け４、大引き９に、上下方向にネジ止めしてある。また、下連結根太２０の左右両側面には、適宜箇所に上連結根太１０と連結するためのネジ穴が設けてある。
上連結根太１０は、下方に開口を有する断面コ字形状の部材であり、床材８を支持する。上連結根太１０の開口には下連結根太２０の上部が嵌まり込み、上連結根太１０と下連結根太２０は左右の側壁において左右方向にネジ止めしてある。上連結根太１０の下端は、左右両側にそれぞれ延出させて床材支持部１１，１１を設けてある。床材支持部１１は長手方向に沿って形成してあり、床材８が連結根太７と直交するように床材支持部１１の上面に長手方向を左右方向として前後に複数敷設され、それぞれ上下方向にネジ止めしてある。床材支持部１１は下連結根太２０の連結部２１よりも左右方向に長く延出しており、下連結根太２０の連結部２１は床材支持部１１の下方に位置している。また、上連結根太１０は左右両側面の上部を左右両側にそれぞれ延出させて床材カバー取付部１２が形成してあり、床材カバー取付部１２には床材カバー８ａが上方からネジ止めしてある。
【００１５】
次に、本発明の床１の施工手順について説明する。まず、建物の外壁Ｘに根太掛け４を固定する。そして、根太掛け４の左右両端に躯体方立２ｂ，２ｂを取り付け、外壁Ｘと固定する。外壁Ｘから間隔をあけて前側に配置する柱２ａ及び束柱２ｃには、前桁３をネジ止めし、躯体方立２ｂと柱２ａの間には、妻桁５をネジ止めする。次いで、左右中間位置において、連結根太７を前桁３と根太掛け４の間に架設する。連結根太７は、まず下連結根太２０を前桁３、根太掛け４及び大引き９に固定する。下連結根太２０は、連結部２１と前桁３及び根太掛け４の支持部３ａ，４ａ並びに大引き９の上面が重なり合う位置において、左右両側の連結部２１，２１を上方からネジ止めする。次に、上連結根太１０を下連結根太２０の上部に被せ、両側壁を左右方向からネジ止めして上連結根太１０と下連結根太２０を一体とする。前桁３と根太掛け４の間に根太６，６…をネジ止めした後、妻桁５と連結根太７間の根太６上に床材８を敷設していく。床材８は、上連結根太１０の床材支持部１１の上に敷設し、上方からネジ止めする。そして床材８と、上連結根太１０、前桁３及び妻桁５との隙間を床材カバー８ａによって覆う。
【００１６】
このように構成した床１によれば、連結根太７は、上連結根太１０と下連結根太２０からなり、上連結根太１０は左右両側に床材支持部１１を有するため、下連結根太２０を前桁３、根太掛け４、大引き９へ連結する際に、床材支持部１１が邪魔にならず施工性に優れる。また、連結根太７を取り付けるために他の部品を用いる必要がないため、従来よりもコストを抑えることができる。
下連結根太２０は、連結部２１が上連結根太１０の床材支持部１１の下方に位置するので、連結根太７は左右方向の幅を小さくすることが可能となり、コストを抑えることができる。そして、上連結根太１０と下連結根太２０は、左右の側壁において左右方向にネジ止めしてあるため、ネジが外観から見えず、意匠性が良い。また、下連結根太２０の連結部２１は前桁３、根太掛け４、大引き９に、上下方向にネジ止めできるため、左右方向のネジ止めよりも作業が容易で施工性に優れる。
【００１７】
本発明は、上記の実施形態に限定されない。前後左右いかなる寸法の床にも適用可能であり、寸法に合わせて大引きの有無や束柱の数を適宜決定できる。また、用途としてはデッキやテラス等の簡易構造物の床に限定されるものではなく、様々な構造物の床として広く適用可能である。
【符号の説明】
【００１８】
１      床
２ａ    柱
２ｂ    躯体方立
３      前桁
４      根太掛け
５      妻桁
６      根太
７      連結根太
８      床材
９      大引き
１０      上連結根太
１１      床材支持部
２０      下連結根太
２１      連結部
【図１】
2019157358.tif 000003
【図２】
2019157358.tif 000004
【図３】
2019157358.tif 000005
【図４】
2019157358.tif 000006
【図５】
2019157358.tif 000007
【図６】
2019157358.tif 000008
【図７】
2019157358.tif 000009